(57)【特許請求の範囲】
【請求項１】
インロー嵌合するコンクリートボックスカルバートの雌端と雄端の内外面間の間隙にゴム輪体を介在させた耐震継手構造において、
前記コンクリートボックスカルバートの雄端の外面は外型枠を使用して成形し、
前記コンクリートボックスカルバートの雌端の内面は、外面を平坦面とし、内面に外開き傾斜を付し、その外端に向けて漸次薄肉をなした脱型可能なゴム板型枠を周面に付設した内型枠を使用して成形し、
前記コンクリートボックスカルバートの雌端の内面と、ゴム輪体を埋込みして取付けた雄端の外面とを夫々平坦形にして且つ互いにインロー嵌合の方向と平行するように成形し、
地震等により前記雌端と雄端の嵌合部にずれ動きが生じても、雌端と雄端の内外面間の嵌合隙間を確保しつつ、該嵌合隙間が内外面方向に広がることがなく、ゴム輪体が内外面の双方に圧接し続けように、コンクリートボックスカルバートの雌端と雄端との内外面を互いに平行に対向させてインロー嵌合したことを特徴とする、
コンクリートボックスカルバートの耐震継手構造。
【発明の詳細な説明】
【０００１】
【発明が属する技術分野】
この発明はコンクリートボックスカルバートの耐震継手構造に関するものである。
【０００２】
【従来の技術】
従来、振動締め固めにより成形されるコンクリートボックスカルバート１は成形後の脱型を容易にするために、図７に示すように、雌端２と雄端３の内面２ａと外面３ａはかなりの傾斜を付して成形しており、雌端２の内面２ａはさらに大きな傾斜を付して成形している。
【０００３】
【発明が解決しようとする課題】
従って、隣り合うコンクリートボックスカルバート１の雌端２と雄端３を嵌合し、該嵌合間隙４内のゴム輪体５は当初は内外面に圧着して水封止しているが、地震，衝撃，地盤沈下などによってコンクリートボックスカルバート１にずれ動きが生ずると、図７（ｂ）に示すように傾斜した雌端と雄端の内面２ａと外面３ａが大きく離れて間隙４が拡がり変形するために、ゴム輪体５と内外面２ａ，３ａ間に隙間ができて水洩れを生ずるという課題がある。
【０００４】
【課題を解決するための手段】
本発明は、インロー嵌合するコンクリートボックスカルバートの雌端と雄端の内外面間の間隙にゴム輪体を介在させたコンクリートボックスカルバートの耐震継手構造において、前記コンクリートボックスカルバートの雄端の外面は外型枠を使用して成形し、前記コンクリートボックスカルバートの雌端の内面は、外面を平坦面とし、内面に外開き傾斜を付し、その外端に向けて漸次薄肉をなした脱型可能なゴム板型枠を周面に付設した内型枠を使用して成形し、前記コンクリートボックスカルバートの雌端の内面と、ゴム輪体を埋込みして取付けた雄端の外面とを夫々インロー嵌合の方向と平行する平坦形にして且つ互いにインロー嵌合の方向と平行するように成形し、地震等により前記雌端と雄端の嵌合部にずれ動きが生じても、雌端と雄端の内外面間の嵌合隙間を確保しつつ、該嵌合隙間が内外面方向に広がることがなく、ゴム輪体が内外面の双方に圧接し続けように、コンクリートボックスカルバートの雌端と雄端との内外面を互いに平行に対向させてインロー嵌合したもので、地震等によりカルバート等の雌雄端間にずれ動きが生じても嵌合間隙の内外面方向への拡がりや変形が防止されて、ゴム輪体と雌雄端の内外面との間で引続き圧着状態を保ち続けるようにして、かかる課題を解決するようにしたのである。
【０００５】
【発明の実施の形態】
振動締め固め工法によりコンクリートボックスカルバート１を成形する。２は開口方向の一側の雌端であり、３は他側の雄端である。雌端２の内面２ａと雄端３の外面３ａをインロー嵌合の方向と平行する平坦形にして且つ互いに平行となるようにして成形するのである。
【０００６】
このうち、雄端３の外面３ａは振動締め固めによる成形の際に外型枠６の当て付けにて成形することができるので、平坦形にて成形しても脱型することが容易であるが、雌端２の内面２ａの成形には内型枠７を嵌付けて成形するので、この内型枠７は全周面をコンクリートが包むこととなるために外開き傾斜がないと脱型が困難となる。
【０００７】
そこで図５乃至図６に示すように内型枠７の周面にゴム板型枠７ａを取付けて、脱型時に該ゴム板型枠７ａの一方を他方に押し付けるなどしてできる隙間を利用して脱型するようにしたのである。なおゴム板型枠７ａは外面を平坦面８、内面に外開き傾斜９を付して内端を部厚部１０、外端に向けて漸次薄肉１１となる形にして脱型しやすくしている。
【０００８】
かようにして振動締め固めにより成形されるコンクリートボックスカルバート１は雌端２の内面２ａも平坦形にして形成することができることとなる。なお脱型の際にゴム板型枠７ａはコンクリートボックスカルバート１の雌端２の内面２ａに張り付いて脱型されることもあるが、ゴム板型枠７ａは無理なく引剥がすことができるので再び内型枠７にセットして次の成形に備えるのである。
【０００９】
しかして隣り合うコンクリートボックスカルバート１，１をインロー嵌合により接続すると、雌端２と雄端３の内外面２ａ，３ａを平坦形にして且つ互いに平行するようにして成形している関係で地震等により雌雄端の嵌合部に図４（ｂ）に示すようなずれ動きが生じても内外面２ａ，３ａ間の間隙４は内外面方向には拡がらず、圧入しているゴム輪体５は引き続き圧入状態を持続して内外面２ａ，３ａとの間で隙間を作らないので、水洩れの生ずることが防止されるものとなる。
【００１０】
ゴム板型枠を雌端成形用に嵌込む内型枠の周面に取付けることによって、雌端の内面を平坦形にしても脱型することができる。ゴム板型枠は繰返して使用することができるので、発泡材などにて形成して脱型の際に破壊してしまう内型枠に較べて著しく経済的である。
【００１１】
ゴム輪体を雄端の外面に埋込み取付けすることによって外面側からの水洩れの防止を一層向上させることができる。
【００１２】
【発明の効果】
本発明はコンクリートボックスカルバートにおいて、インロー嵌合する雌端と雄端の内外面のそれぞれを平坦形にして且つ互いに平行するようにして成形したので、地震等により雌端と雄端の嵌合部にずれ動きが生じても、雌端と雄端の内外両面間の間隙は内外方向に拡がることがなくなるから、内外面間の間隙に圧入しているゴム輪体はなお内外面の双方に圧接し続けて、水洩れを生じさせないという効果を生ずる。
ゴム板型枠を雌端成形用に嵌込む内型枠の周面に取付けることによって、雌端の内面を平坦形にして且つ互いに平行するようにしても脱型することができる。尚、ゴム板型枠は繰返して使用することができるので、発泡材などにて形成して脱型の際に破壊してしまう内型枠に較べて著しく経済的である。
【図面の簡単な説明】
【図１】  本発明に係るコンクリートボックスカルバートの雄端側の正面図
【図２】  同、縦断側面図
【図３】  雄端部分の拡大図
【図４】  （ａ）は雌端と雄端を嵌合した状態にて示す当初の部分拡大断面図、（ｂ）は震動等によりずれ動きが生じた時の拡大断面図
【図５】  振動締め固めにより成形する状態を示す断面図
【図６】  雌端成形部分の拡大図
【図７】  従来例図、なお（ｂ）は震動等によるずれ動きにより傾斜した雌端内面と雄端外面間の間隙が拡がってゴム輪体の圧着が解けて隙間から水洩れする状態図
【符号の説明】
１はコンクリートボックスカルバート
２は雌端
２ａは雌端の内面
３は雄端
３ａは雄端の外面
４は間隙
５はゴム輪体
６は外型枠
７は内型枠
７ａはゴム板型枠
８はゴム板型枠外面の平坦面
９はゴム板型枠内面の外開き傾斜
１０は部厚部
１１は薄肉部
【図１】
0003686970.tif 000002
【図２】
0003686970.tif 000003
【図３】
0003686970.tif 000004
【図４】
0003686970.tif 000005
【図５】
0003686970.tif 000006
【図６】
0003686970.tif 000007
【図７】
0003686970.tif 000008